Podtech/llm-jp-corpus-v4-ja_patent huggingface dataset:
(57)【要約】      （修正有）【課題】雑菌や細菌の繁殖を防ぐとともに、本体が汚れれば買い替えるという経済的負担を軽減できるボディタオルの提供。【解決手段】布繊維素材等１によって作られたボディタオルに光触媒（二酸化チタン）２を塗布する。  【選択図】図１
0003133954.tif 000002
【実用新案登録請求の範囲】
【請求項１】
ボディタオルに光触媒（二酸化チタン）加工を施し、紫外線と反応させる事によって、抗菌・消臭・防汚効果を促し衛生的にも経済的にも優れた効果を発揮する事を特徴とした光触媒ボディタオル
【考案の詳細な説明】
【技術分野】
【０００１】  本考案は、光触媒加工を施したボディタオルに関するものである。
【背景技術】
【０００２】  浴室などで体を洗う際にボディタオルを使用し、使用後はそのまま濡れた状態で浴室に掛けてあり非常に不衛生な状況にあった。
【考案の開示】
【考案が解決しようとする課題】
【０００３】  浴室に濡れたままに放置して置くと、雑菌や細菌が繁殖しやすく非常に不衛生である。また汚れれば買い替えるという経済的負担である。従って、ボディタオルと光触媒（二酸化チタン）反応を一体化する事により非常に衛生的で経済的な効果が期待でき、前途の欠点を解決しようとするものである。
【課題を解決するための手段】
【０００４】  本考案は、ボディタオル本体に光触媒加工を施し、ボディタオル本体に付着した細菌を分解する事により問題点を解決している。
【考案の効果】
【０００５】  上述の様に、本考案の光触媒ボディタオルはボディタオル本体で体を洗う事は勿論、光触媒加工をボディタオル本体に施したので、使用後も抗菌・消臭・防汚効果により衛生的に保管でき、しかも効果は半永久的に持続する事により経済的にも役立つ。
【考案の実施するための最良の形態】
【０００６】  ボディタオル本体を使用後、浴室に放置しておいても光を吸収する事によって本体に加工してある二酸化チタンが反応し、細菌の元となる有機物を分解する。
【実施例】
【０００７】  以下、添付図面に従って一実施例を説明する。１は布繊維素材等によって作られたボディタオル、２は抗菌・消臭・防汚効果により衛生的に保管できるように塗布された光触媒（二酸化チタン）である。【０００８】  本考案の一実施例は上述のボディタオル本体１は体を洗う用途としては勿論であるが、光触媒（二酸化チタン）２を塗布して放置しておくだけで使用後も抗菌・消臭・防汚効果により衛生的に保てる。
【図面の簡単な説明】
【０００９】
【図１】本ボディタオルの一部切欠断面図である。
【符号の説明】
【００１０】  １  ボディタオル本体
２  光触媒（二酸化チタン）
【図１】
0003133954.tif 000003
【手続補正書】
【提出日】平成19年4月2日(2007.4.2)
【手続補正１】
【補正対象書類名】実用新案登録請求の範囲
【補正対象項目名】全文
【補正方法】変更
【補正の内容】
【実用新案登録請求の範囲】
【請求項１】
あらかじめ光触媒を塗布してあるボディタオルを、紫外線と反応させる事によって、抗菌・消臭・防汚効果を促し衛生的にも経済的にも優れた効果を発揮する事を目的とした光触媒ボディタオル
(57)【要約】      （修正有）【課題】着物や茶羽織をユニフォームとして使用する職場において脱着し易く時間の短縮を図る。【解決手段】衿、袖にボタンを施し、全てを取外し可能とし、脱着し易い事は勿論、和風茶羽織や替え衿の使用等、多種への使用を可能とした。【選択図】図１
0003133952.tif 000002
【実用新案登録請求の範囲】
【請求項１】
襦袢をワンピース型とし、又、袖、衿にボタンを施し、全てを取外すことが出来、脱着し易く、また、和風茶羽織や各種袖など多種に適用が出来るのが特徴の簡単襦袢
【考案の詳細な説明】
【技術分野】
【０００１】  本考案はワンピース型とした襦袢に関するものである。
【背景技術】
【０００２】着物や茶羽織等をユニフォームとする職場において従来は襦袢を使用する際、其々に応じた襦袢を使用していた。又、長襦袢、半襦袢を脱着する手間もかかっていた。
【考案の開示】
【考案が解決しようとする課題】
【０００３】従来に無いワンピース型の襦袢を作り、袖、衿の脱着を可能とし、着物のみでなく、茶羽織や舟底袖、筒袖等、多種に着用出来る事により利便性を図る。ワンピース型で上から簡単に被ることが出来、脱着時間短縮を図れる。
【課題を解決するための手段】
【０００４】本考案は衿、袖にボタンを施し、全てを取外し可能とし、和風茶羽織等、他の者への代用を可能とした。ユニフォームとして着易さからワンピース型とし上から被れる様にし、又、機能性のストレッチ素材を使用し、襦袢本体の後ろに替え衿固定用ボタンホールを付け、肩には伸び止めダブルステッチ仕立て等動きやすさも考慮。
【考案の効果】
【０００５】上述の様に衿、袖の脱着を可能とした事により、時間の短縮や着物以外の茶羽織や衿、袖のタイプを変える等、利便性の効果を発揮できる。
【実施例】
【０００６】以下、添付画面に従って一実施例を説明する。  １は衿にボタンを施し脱着可能とし、伊達衿等の商品も対応可能。  ２は袖にボタンを施し、茶羽織、舟底袖、筒袖の対応も可能。
【図面の簡単な説明】
【０００７】
【図１】本考案の簡単襦袢の一実施例を示す正面図と後面図である。
【符号の説明】
【０００８】１  襦袢身頃
２  襦袢袖
３  替え衿固定用ボタン
【図１】
0003133952.tif 000003
【手続補正書】
【提出日】平成19年4月18日(2007.4.18)
【手続補正１】
【補正対象書類名】実用新案登録請求の範囲
【補正対象項目名】全文
【補正方法】変更
【補正の内容】
【実用新案登録請求の範囲】
【請求項１】
襦袢をワンピース型とし、又、袖、衿にボタンを施し、袖、衿を身頃本体より取り外すことが出来、脱着し易く、着物の他、和風茶羽織や船底袖、筒袖等、多種に適用出来るのが特徴の簡単襦袢
【手続補正２】
【補正対象書類名】明細書
【補正対象項目名】０００４
【補正方法】変更
【補正の内容】
【０００４】本考案は衿、袖にボタンを施し、袖、衿を身頃本体より取り外すことが出来、和風茶羽織等、他の物への代用を可能とした。ユニフォームとして着易さからワンピース型とし、上からかぶれる様にし、又、機能性のストレッチ素材を使用し、襦袢本体の後ろに衿固定用ボタンホールを付け、硬には伸び止めのダブルステッチ仕立てし、動きやすさも考慮。
(57)【要約】      （修正有）【課題】不織布空調フィルターがしわ状にならず、しかも交換着脱が簡単にできるようにする。【解決手段】室内空気調和機の吸込グリルカバー自体にフックボルトを固定し上から、はとめ穴の開けた空調用フィルターを差込、その上から押さえ四角金枠でナット締めすれば強固に取り付けられ簡単に着脱できるようになった。【選択図】図２
0003133960.tif 000002
【実用新案登録請求の範囲】
【請求項１】
天井埋込型室内空気調和装置の吸込グリルカバー格子部に座金板利用しフックボルトを立つようにナット締めし４箇所固定、不織布空調用フイルターのはとめ加工した穴に通しその上から四角の押さえ金枠の四隅穴に通しナットで固定するもので、グリルカバー内側吸込み口を広く覆いかくす広さのフィルターを簡単に着脱できる特徴のフックボルト取付金具と押さえ金枠である。
【考案の詳細な説明】
【技術分野】
【０００１】  本考案は、室内空気調和機の吸込グリルカバーに、不織布空調用フィルターを取り付るためのフックボルト固定金具類及び押さえ金枠に関するものである。
【背景技術】
【０００２】  室内空気調和機に既存付属された空調用フィルターの代わりに取付ける、不織布空調用フィルターは布状であり取付けようとしても、枠が無く吸込グリルカバーに取付けられない。
【考案の開示】
【考案が解決しようとする課題】
【０００３】  不織布空調フィルターがしわ状にならず、しかも交換着脱が簡単できる事が課題である。
【課題を解決するための手段】
【０００４】  室内空気調和機の吸込グリルカバー格子の部分に板座金を利用しフックボルトを立ててナット締めして強固に固定し、不織布空調フィルターのはとめ穴に通し上から四角形の押さえ金枠の四隅穴に通しナットで締め固定する。
【考案の効果】
【０００５】  上述により室内空気調和機に既存付属された空調用フィルターを使用しなくても安価で粗塵捕集がよい、不織布空調フィルターが簡単に着脱できる
【考案を実施するための最良の形態】
【０００６】  室内空気調和機の吸込グリルカバーを開け吸込口格子部分の中心点を出す。押さえ金枠の中心と重ね金枠四方穴の箇所に印をつけ、カバー格子に板座金利用でフックボルトを４箇所立てる。後はボルトに、不織布空調フィルターのはとめ穴に通し上から押さえ金枠通しナット締めして固定する。
【実施例】
【０００７】  以下添付図面に従って実施例を説明する。４の室内空気調和機の吸込グリルカバーを開け内側に１の押さえ金枠（ステンレス製）の四隅穴と同寸法で３の様にカバー格子６を利用して９のフックボルトを７の金属板座金を利用し８のナットで締め付け固定する。後は２の空調用フィルターはとめ穴（２−１）にフックボルトを通し１の押さえ金枠四隅穴（１−１）に通し１０のナットで締め付け２の空調用フィルターを押さえ固定する。
【産業上の利用可能性】
【０００８】  空調設備メンテナンス、特にエアコンフィルター及び熱交換器洗浄作業の軽減化
【図面の簡単な説明】
【０００９】
【図１】室内空気調和機の吸込グリルカバーに取り付ける全体の展開図
【図２】フックボルト取付状態及び不織布フィルター押さえ固定詳細図
【符号の説明】
【００１０】  １    押さえ金枠
１−１四隅穴
２    はとめ穴付不織布空調フィルター
２−１はとめ穴
２−２座金
３    吸込グリルカバー格子部利用のフックボルト取付状態
４    吸込グリルカバー
５    室内空気調和機本体
６    吸込グリルカバー格子
７    フックボルト板座金
８    フックボルト締め付けナット
９    フックボルト
１０    押さえ金枠締め付けナット
【図１】
0003133960.tif 000003
【図２】
0003133960.tif 000004
【手続補正書】
【提出日】平成19年4月16日(2007.4.16)
【手続補正１】
【補正対象書類名】実用新案登録請求の範囲
【補正対象項目名】全文
【補正方法】変更
【補正の内容】
【実用新案登録請求の範囲】
【請求項１】
天井埋込型室内空気調和装置の吸込グリルカバー格子部に座金板利用しフックボルトを立つようにナット締めし４箇所固定、不織布空調用フイルターのはとめ加工穴に通しその上から四角の押さえ金枠の四隅穴に通しナットで固定、はとめ穴に通すだけで簡単にフィルターを着脱するためのフックボルト取付金具と押さえ金枠。
(57)【要約】      （修正有）【課題】紙製品であり、掬った糞を塵と一緒に簡単に処理する事が出来る糞採り用スコップを提供する。【解決手段】ペットの糞採り用スコップは、一枚の厚紙を素材としてスコップの形状に形成された使い捨てタイプの糞採り用スコップである。この糞採り用スコップは左右同じ形状のものを型で打ち抜いて中央より二つに折り曲げて二枚重ねにしたものである。一枚は糞採り用スコップ、もう一枚は袋が付いており、蓋の役目をする袋の付いた方を下側より回転させて上側に被せ蓋をする。ひっくり返して袋の方に糞を収納する紙製品であるので、塵と一緒にポイ捨て処理が出来る。【選択図】図１
0003133951.tif 000002
【実用新案登録請求の範囲】
【請求項１】
二枚重ねの糞採り用スコップである。一枚は糞採り板と握手を有し、スコップの形をした板である。もう一枚は袋の有る板で、下側より回転させて上側に被せて蓋にする。一枚の厚紙で左右同じ形状のものを型で打ち抜いて、中央より二つに折り曲げて二枚重ねにしたものである。二枚重ねで回転式であるのが特徴とする糞採り用スコップ。
〔請求項目〕
紙袋の糞収納袋を有するのが特徴とする請求項１に記載の糞採り用スコップ。
【請求項３】
平面な糞採り板をマジックテープで固定して立体的なスコップに出来上がるのが特徴の請求項１に記載の糞採り用スコップ。
【考案の詳細な説明】
【技術分野】
【０００１】  本考案は、ペット（特に犬）が散歩中に排泄した糞を掃除する事を目的とする糞採り用スコップに関するものである。
【背景技術】
【０００２】  従来ペット犬が、散歩中道路や公園で排泄した糞の始末は、飼い主が塵紙で葺き取ったりスコップ等で掬い取ってビニール袋等に入れて持って帰り廃棄する事が一般的に行われている。
【考案の開示】
【考案が解決しようとする課題】
【０００３】  しかしながら、塵紙で拭き取る方法は衛生上好ましくなく、又従来のコップ等による糞採り具は、糞を掬い取ってビニール袋に入れて家に持ち帰り、処理するのに手間がかかります。本考案は、紙製品であり簡単に塵と一緒にポイ捨て処理が出来る使い捨て用の糞採り用スコップである。
【課題を解決するための手段】
【０００４】  本考案は、ペットの糞採り用スコップを一枚と、もう一枚糞収納袋を有するものと二枚を備え、二枚重ねになっている。一枚の厚紙を左右同じ形状のものを型で打ち抜いて、中央より二つに折り曲げ、二枚重ねにしたものである。【０００５】  本考案に係るペットの糞採り用スコップは、一枚の厚紙を素材として左右同じスコップの形状をしたものを型で打ち抜いた使い捨てタイプの糞採り用具である。この糞採り用スコップは、左右同じ形状をしたものを中央で二つに折り曲げて、二枚重ねにしてある。上側が糞採り用スコップ、下側が糞収納袋に成っている。上側の糞採り用スコップで糞を掬い取ったら、下側の袋の方を上側に回転させて被せ蓋にする。
ひっくり返して袋の方に糞を収納する紙製品であるので、塵と一緒にポイ捨て処理ができる。
【考案の効果】
【０００６】  本考案は、以上のように構成したので手を汚す事なく、ペットの糞を処理する事が出来る効果がある。
【考案を実施するための最良の形態】
【０００７】  本考案のペットの糞採り用スコップを使用する際は、平面である１のスコップ形の板の５の折目の部分を内側に起し寝せてある６の渕板も起し、９のマジックテープで角を止めると立体的な糞採り用スコップが出来上がる。糞を掬い採ったら図２にあるように、２の袋の部分を４の握手を持って点線１０のように下側から上側に回転させ、１のスコップに被せ蓋にする。上下ひっくり返して袋の方に糞を収納する紙製品であるので、塵と一緒にポイ捨て処理が出来る。
【図面の簡単な説明】
【０００８】図１は本考案に係るペットの糞採り用スコップの平面図である。
図２は本考案に係るペットの糞採り用スコップの回転を示す斜視図である。
図３は本考案に係るペットの糞採り用スコップの蓋をしたときの側面図である。
【符号の説明】
【０００９】１．  糞採り板
２．  蓋
３．  握手
４．  握手
５．  折目
６．  渕板
７．  折目
８．  紙袋
９．  マジックテープ
１０．回転を示す線
【図１】
0003133951.tif 000003
【図２】
0003133951.tif 000004
【図３】
0003133951.tif 000005
【手続補正書】
【提出日】平成19年4月11日(2007.4.11)
【手続補正１】
【補正対象書類名】実用新案登録請求の範囲
【補正対象項目名】全文
【補正方法】変更
【補正の内容】
【実用新案登録請求の範囲】
【請求項１】
二枚重ねの糞採り用スコップであって、一枚は糞採り板と握手を有し、スコップの形をした板であり、もう一枚は紙袋の有る板で下側より回転させて上側に被せて蓋になるように構成し、一枚の厚紙で左右同じ形状のものを型で打ち抜いて、中央より二つに折り曲げて二枚重ねにしたのが特徴の糞採り用スコップ。
【請求項２】
紙収納袋の付いたのが特徴とする請求項１に記載の糞採り用スコップ。
【請求項３】
平面な糞採り板の両側を折目にそって内側に起し、両方の角を面ファスナーで止めて固定し立体的に出来上がるのが特徴の糞採り用スコップ。
【手続補正２】
【補正対象書類名】明細書
【補正対象項目名】０００７
【補正方法】変更
【補正の内容】
【０００７】  本考案のペットの糞採り用スコップを使用する際は、平面である１のスッコップ形の板の５の折目の部分を内側に起し寝せてある６の渕板も起し、９の面ファスナーで角を止めると立体的な糞採り用スコップが出来上がる。糞を掬い採ったら図２にあるように、２の袋の部分を４の握り手を持って点線１０のように下側から上側に回転させ、１のスコップに被せ蓋にする。上下ひっくり返して袋の方に糞を収納する紙製品であるので、塵を一緒にポイ捨て処理が出来る。
【手続補正３】
【補正対象書類名】明細書
【補正対象項目名】０００８
【補正方法】変更
【補正の内容】
【０００８】
【図１】は本考案に係るペットの糞採り用スコップの平面図である。
【図２】は本考案に係るペットの糞採り用スコップの回転を示す図面である。
【図３】は本考案に係るペットの糞採り用スコップの蓋をしたときの側面図である。
【図４】は本考案に係るペットの糞採り用スコップの斜視図である。
【手続補正４】
【補正対象書類名】明細書
【補正対象項目名】０００９
【補正方法】変更
【補正の内容】
【０００９】  １．  糞採り板
２．  蓋
３．  握手
４．  握手
５．  折目
６．  渕板
７．  折目
８．  紙袋
９．  面ファスナー
１０．  回転を示す線
【手続補正６】
【補正対象書類名】図面
【補正対象項目名】図４
【補正方法】追加
【補正の内容】
【図４】
0003133951.tif 000006
(57)【要約】      （修正有）【課題】着物をユニフォームとして使用する職場において着易く時間の短縮を図る。【解決手段】着物本体を上下に分け、下着をスカートとし、前面をボタン面ファスナー止めとし、又、両脇には二段幅広ゴムを施し、安定性と脱着し易さを可能とした。【選択図】図１
0003133953.tif 000002
【実用新案登録請求の範囲】
【請求項１】
本来の着物を上下に分け、前面をボタンと面ファスナー止めとし、両脇には二段幅広ゴムを施し、安定性と脱着し易さを考慮した点が特徴の着物
【考案の詳細な説明】
【技術分野】
【０００１】本考案は上下を二部式に分けた着物に関するものである。
【背景技術】
【０００２】着物をユニフォームとしている職場において脱着作業においては着付けの知識の有無等により時間のかかる作業であった。
【考案の開示】
【考案が解決しようとする課題】
【０００３】作業性を重視する職場において着物の脱着にかかる時間は非常に不効率である。従って着物自体を上下に分けて脱着し易い様、機能部分もつけて不慣れな方にも時間の短縮の解決しようとしたもの。
【課題を解決するための手段】
【０００４】本考案は前面にボタンと面ファスナー止めとし、又、両脇には二段幅広ゴムを施し安定性と着易さを考慮している。
【考案の効果】
【０００５】上述の様に上下に着物を分ける事により脱着の作業がし易くなる事は勿論、上下其々のみの補充、伊達衿のみの補充、好みの組み合わせ、洗濯を可能とし利便性としても効果を発揮する。
【実施例】
【０００６】以下、添付画面に従って一実施例を説明する。  １は前面にボタンと面ファスナー止めを使用し、脱着し易くなっている。２は両脇に二段幅広ゴムを施し、安定を保ちつつ、着易い構造となっている。
【図面の簡単な説明】
【０００７】
【図１】  本考案の二部式着物の下スカートの一実施例を示す正面図である。
【図２】  本二部式着物の下スカートの後面図である。
【符号の説明】
【０００８】１  ボタン
２  面ファスナー
３  二段幅広ゴム
【図１】
0003133953.tif 000003
【図２】
0003133953.tif 000004
【手続補正書】
【提出日】平成19年4月18日(2007.4.18)
【手続補正１】
【補正対象書類名】実用新案登録請求の範囲
【補正対象項目名】全文
【補正方法】変更
【補正の内容】
【実用新案登録請求の範囲】
【請求項１】
着物を上下に分け、前面をボタンと面ファスナー止めとし、両脇には二段幅広ゴムを施し、安定性と脱着し易さを考慮した点が特徴の着物
(57)【要約】【課題】球体のブリオンを装飾品として使用する際、装飾者は棒状の道具を使用し、その道具の先端に吸着剤を塗布し、一つずつ取り、装着部に付着させる。つまり、一つの球体のブリオンを装飾部分に付着する工程度に、再度取る工程を経ざるをえなかった。しかし、球体のブリオンは非常に小さなものであることと、一つずつ取り、付着させては再度取るというような作業工程のため、緻密かつ煩雑な作業になる。【解決手段】ネイル・アートにおいて、球体のブリオンを付着させる際に、本来の球体のブリオンを一つずつ取り、それを付着させては、再度取るという煩雑な工程を本案件の装置の本体の貯蔵庫に多数の球体のブリオンを蓄えておき、その球体ブリオンを射出口から押し出す構造を有することで、球体のブリオンの取り上げ工程と付着部分までの移動工程の２つの工程を省略可能であるもの。これにより上記の課題を解決する。【選択図】図１
0003133959.tif 000002
【実用新案登録請求の範囲】
【請求項１】
（１）ネイル・アートにおいて、球体のブリオンを装飾として使用した装飾方がある。装飾者が装飾部分に球体のブリオンを付着させる際に、本体の貯蔵庫に多数の球体のブリオンを蓄えておき、その球体ブリオンを射出口から押し出す構造で、確実に且つ簡易に付着の実行を補助するブリオン付着補助装置。
【考案の詳細な説明】
【技術分野】
【０００１】本考案はネイル・アートにおいて、装飾者が装飾部分に球体のブリオンを使用した装飾を行う際に、簡易に且つ確実に実行することを可能にするための道具に関する。
【技術背景】
【０００２】ネイル・アートにおける装飾に使用する球体のブリオンというものがある。それ自体を装飾品の一部として使用し、装飾する方法がある。
【考案の開示】
【考案が解決しようとする課題】
【０００３】球体のブリオンを装飾品として使用する際、装飾者は棒状の道具を使用し、その道具の先端に吸着剤を塗布し、一つずつ取り、装着部に付着させる。つまり、一つの球体のブリオンを装飾部分に付着する工程度に、再度取る工程を経ざるをえなかった。しかし、球体のブリオンは非常に小さなものであることと、一つずつ取り、付着させては再度取るというような作業工程のため、緻密かつ煩雑な作業になる。
【課題を解決するための手段】
【０００４】ネイル・アートにおいて、球体のブリオンを付着させる際に、本来の球体のブリオンを一つずつ取り、それを付着させては、再度取るという煩雑な工程を本案件の装置の本体の貯蔵庫に多数の球体のブリオンを蓄えておき、その球体ブリオンを射出口から押し出す構造を有することで、球体のブリオンの取り上げ工程と付着部分までの移動工程の２つの工程を省略可能であるもの。これにより上記の課題を解決する。
【考案の効果】
【０００５】ネイル・アートにおいて、球体のブリオンを付着させる際に、従来は球体のブリオンを一つずつ取り、それを付着させては、再度取るという工程を経ていた。つまり、一つの球体のブリオンを装飾部分に付着する工程度に、再度取る工程を経ざるをえなかった。そのため、装飾者は常に緊張状態で精緻且つ煩雑な工程を経ざるをえなかった。
【考案を実施するための最良の形態】
【０００６】ネイル・アートにおいて、球体のブリオンを付着させる際に、本案件の装置の本体の貯蔵庫に多数の球体のブリオンを蓄えておき、その球体ブリオンを射出口から押し出す構造を有するもの。
【図面の簡単な説明】
【０００７】
【図１】  本考案の装置の基本構造の断面図である
【符号の説明】
Ａ  射出口
Ｂ  球体のブリオンを押し出す部品
Ｃ  球体のブリオンを蓄えておく貯蔵庫
【図１】
0003133959.tif 000003
【手続補正書】
【提出日】平成19年5月4日(2007.5.4)
【手続補正１】
【補正対象書類名】実用新案登録請求の範囲
【補正対象項目名】全文
【補正方法】変更
【補正の内容】
【実用新案登録請求の範囲】
【請求項１】
装飾者が被装飾部分に球体のブリオンを付着させる際に、本体の貯蔵庫に多数の球体のブリオンを蓄えておき、その球体ブリオンを射出口から押し出す構造で、確実に且つ簡易に付着の実行を補助するブリオン付着補助装置。
(57)【要約】      （修正有）【課題】一般に使用されている乾電池（アルカリ・マンガン電池）は、一度使い切ると廃棄され、廃棄処理のコスト高や環境汚染となっている。一方ニッカド等の二次電池は、充電の為の装置や電源が必要である。【解決手段】  本案は乾電池（単一形・単二形・単三・単四形）の外形寸法および機能を満たし、円筒状または多面柱の外装部に光を受光するソーラパネル（１）を形成し、内部には繰り返し充電し使用可能な二次電池（２）と充放電を制御する回路（３）を一体化した、ソーラパネル付き二次電池である。【選択図】図１
0003133940.tif 000002
【実用新案登録請求の範囲】
【請求項１】
既存の乾電池単一形・単二形・単三形および単四形の外装部に、太陽光を受光するソーラパネルを形成し、内部に二次電池および充電用回路を封じ込めたものである。
【考案の詳細な説明】
【考案の詳細な説明】
【課題】
既存の乾電池（単一形・単二形・単三・単四形）のアルカリまたはマンガン電池は、一度使い切ると再利用が不可能である。またニッカド等の二次電池は、充電のための装置と充電の為の電源が必要である。
【解決手段】
本案は既存の乾電池（単一形・単二形・単三・単四形）の乾電池の外形寸法および機能を満たし、円筒状および多面柱の外装に、太陽光を受光するソーラパネル（１）を形成し、内部には繰り返し充電し使用可能な二次電池（２）と充電の制御回路（３）を一体化した。ソーラパネル付き二次電池である。
【使用方法】
本製品は既存の乾電池と同様に電気機器に入れて使用し、電池を使い切ったら機器より取り出し放置することにより、光エネルギーを電池の外装に形成したソーラパネルにて、自動的に充電し繰り返し使用する。野外や車中等で充電装置を使わずに、簡単に充電が可能である。
0003133940.tif 000003
【手続補正書】
【提出日】平成19年1月15日(2007.1.15)
【手続補正１】
【補正対象書類名】実用新案登録請求の範囲
【補正対象項目名】全文
【補正方法】変更
【補正の内容】
【実用新案登録請求の範囲】
【請求項１】
本装置は乾電池（単一形・単二形・単三形および単四形）の外装部に、光を受けて電流に変換するソーラパネルを形成し、内部に二次電池および充放電を制御する回路を封じ込めた、ソーラパネル付き二次電池である。
【手続補正２】
【補正対象書類名】明細書
【補正対象項目名】全文
【補正方法】変更
【補正の内容】
【考案の詳細な説明】
【課題】
【０００１】  乾電池（単一形・単二形・単三形・単四形）のアルカリまたはマンガン電池は、一度使い切ると再利用が不可能であり、使用後は廃棄され高額の処理コストを要する。さらに未処理で放置されると環境汚染の問題となっている。  また  ニッカド等の二次電池は、充電の為の装置と充電の為の電源が必要となる。
【解決手段】
【０００２】  本案は乾電池（単一形・単二形・単三・単四形）の乾電池の外形寸法および機能を満たし、円筒状および多面柱の外装に、光を受光するソーラパネル（１）を形成し、内部には繰り返し充電し使用可能な二次電池（２）と充放電を制御する回路（３）を一体化した。ソーラパネル付き二次電池である。
【使用方法】
【０００３】  本装置は一般の乾電池と同様に電気機器に入れて使用し、電池を使い切ったら機器より取り出し、光のあたる場所に放置することにより、光エネルギーを装置の外装に形成したソーラパネルにて、電流に変換し充放電を制御する回路を通して、内部の二次電池に自動的に充電し繰り返し使用する。  野外や自動車のダッシュボード等に放置することにより、充電装置や電源を使うことなく充電が可能である。
【図面の簡単な説明】
【０００４】
【図１】  本図は、乾電池の側面を一部破断した図面で、上方向が正極で下方向が負極である。（１）は受光するソーラパネルで、（２）は充放電の可能な二次電池、（３）が充放電を制御する回路である。
【手続補正４】
【補正対象書類名】図面
【補正対象項目名】全図
【補正方法】変更
【補正の内容】
【図１】
0003133940.tif 000004
【手続補正書】
【提出日】平成19年4月19日(2007.4.19)
【手続補正１】
【補正対象書類名】実用新案登録請求の範囲
【補正対象項目名】全文
【補正方法】変更
【補正の内容】
【実用新案登録請求の範囲】
【請求項１】
本装置は乾電池の単一形・単二形・単三形および単四形の外装部に、光を受けて電流に変換するソーラパネルを形成し、内部に二次電池および充放電を制御する回路を封じ込めた、ソーラパネル付き二次電池である。
【手続補正２】
【補正対象書類名】明細書
【補正対象項目名】全文
【補正方法】変更
【補正の内容】
【考案の詳細な説明】
【課題】
【０００１】  乾電池で単一形・単二形・単三形および単四形のアルカリまたはマンガン電池は、一度使い切ると再利用が不可能であり、使用後は廃棄され高額の処理コストを要する。  さらに未処理で放置されると環境汚染の問題となっている。  また  ニッカド等の二次電池は、充電の為の装置と充電の為の電源が必要となる。
【解決手段】
【０００２】  本案は乾電池で単一形・単二形・単三および単四形の乾電池の外形寸法および機能を満たし、円筒状および多面柱の外装に、光を受光するソーラパネル（１）を形成し、内部には繰り返し充電し使用可能な二次電池（２）と充放電を制御する回路（３）を一体化した。ソーラパネル付き二次電池である。
【使用方法】
【０００３】  本装置は一般の乾電池と同様に電気機器に入れて使用し、電池を使い切ったら機器より取り出し、光のあたる場所に放置することにより、光エネルギーを装置の外装に形成したソーラパネルにて、電流に変換し充放電を制御する回路を通して、内部の二次電池に自動的に充電し繰り返し使用する。野外や自動車のダッシュボード等に放置することにより、充電装置や電源を使うことなく充電が可能である。
【図面の簡単な説明】
【０００４】
【図１】本図は、乾電池の側面を一部破断した図面で、上方向が正極で下方向が負極である。（１）は受光するソーラパネルで、（２）は充放電の可能な二次電池、（３）が充放電を制御する回路である。
(57)【要約】      （修正有）【課題】今までになかったインパクトのあるウェルカムミラーで、新郎新婦のプロフィールや夢や希望などを年表で分かりやすく一目で理解することができる。【解決手段】お二人のプロフィール（過去）と現在と未来（夢や希望）を年表で分かりやすく入れることで今までになかったインパクトのあるウェルカムミラーで、一目で見てお二人のことがより理解することが安易になる。【選択図】図１
0003133938.tif 000002
【実用新案登録請求の範囲】
【請求項１】
ミラーに、年表を彫刻したことを特徴とするウェルカムミラー。
【請求項２】
前記ミラーは、過去の記述だけではなく、と未来の記述も彫刻されてあることを特徴とする請求項１記載のミラー。
【請求項３】
前記ミラーは、結婚披露宴の際に新郎新婦のプロフィール、未来への希望をドラマチィックに演出する請求項１記載のミラー。
【考案の詳細な説明】
【技術分野】
【０００１】  この考案は、ウエルカムミラーに年表をエッチングした演出方法に関する。
【背景技術】
【０００２】  従来のウェルカムミラーは、名前、日時、場所、イベント名などしか記入されておらず、インパクトに欠けるミラーだった。
【考案の開示】
【考案が解決しようとする課題】
【０００３】  しかしながら、以上の技術によれば、名前、日時、場所、イベント名などしか記入されていない、インパクトの欠けるミラーだった。
そこで、この考案は、お二人のプロフィール（過去）と現在と未来（夢や希望）を年表で分かりやすく入れることで今までになかったインパクトのあるウェルカムミラーを提供することを課題とする。
【課題を解決するための手段】
【０００４】  以上の課題を解決するために、第一考案は、ミラーに年表を彫刻したことを特徴とするウェルカムミラーである。また、第二考案は、過去の記述だけではなく、と未来の記述も彫刻されてあることを特徴とするウェルカムミラーでである。
そして、第三考案は、結婚披露宴の際に新郎新婦のプロフィール、未来への希望をドラマチィックに演出することができるウェルカムミラーである。
【考案の効果】
【０００５】  第一考案、または第二考案、第三考案によれば、お二人のプロフィール（過去）と現在と未来（夢や希望）を年表で分かりやすく入れることで今までになかったインパクトのあるウェルカムミラーができた。
【考案を実施するための最良の形態】
【０００６】  この考案の一実施形態を、図１に示す。
本体１はガラス製のミラー（鏡）であり、この本体１の裏側から年表を彫刻する。ミラー前面に向かって左側を新郎側２、右側を新婦側３とし、中央に年号４を入れる。過去の年号５には各々の歴史を、未来の年号６には、お互いの豊富や夢など（未来予想図）を入れる。【０００７】「実施形態の効果」
この実施形態によれば、今までになかったインパクトのあるウェルカムミラーで、新郎新婦のプロフィールや夢や希望などを年表で分かりやすく一目で理解することができる。【０００８】「他の実施形態」
図１の実施形態では、年表を利用してお互いのプロフィールを明記したが、他の実施形態では、文章で明記したものでも良い。
【図面の簡単な説明】
【０００９】
【図１】  この発明の一実施形態を示す斜視図である。
【図２】  従来技術を示す斜視図である。
【符号の説明】
【００１０】  １  ミラー本体          ２  新郎側
３  新婦側              ４  年表
【図１】
0003133938.tif 000003
【図２】
0003133938.tif 000004
【手続補正書】
【提出日】平成18年8月4日(2006.8.4)
【手続補正１】
【補正対象書類名】実用新案登録請求の範囲
【補正対象項目名】請求項２
【補正方法】変更
【補正の内容】
【請求項２】
前記ミラーは、過去の記述だけではなく、未来の記述も彫刻されてあることを特徴とする請求項１記載のミラー。
【手続補正２】
【補正対象書類名】実用新案登録請求の範囲
【補正対象項目名】請求項３
【補正方法】変更
【補正の内容】
【請求項３】
前記ミラーは、結婚披露宴の際には、新郎新婦当方のプロフィール紹介をする際に主にペーパーアイテムだったが、請求項１、請求項２を用いることによってプロフィール紹介が可能となる請求項１記載のミラー。
【手続補正書】
【提出日】平成18年11月16日(2006.11.16)
【手続補正１】
【補正対象書類名】実用新案登録請求の範囲
【補正対象項目名】請求項３
【補正方法】変更
【補正の内容】
【請求項３】
前記ミラーは、結婚披露宴の際に新郎新婦双方のプロフィール紹介がウェルカムミラーで表現できる請求項１記載のミラー。（年表を用いて新郎新婦の双方のプロフィール紹介を表現することができるウェルカムミラー）
【手続補正書】
【提出日】平成19年3月22日(2007.3.22)
【手続補正１】
【補正対象書類名】実用新案登録請求の範囲
【補正対象項目名】請求項３
【補正方法】変更
【補正の内容】
【請求項３】
前記ミラーは、結婚披露宴の際に新郎新婦双方のプロフィール紹介を年表を用いて表現できる請求項１記載のミラー
(57)【要約】【課題】店や企業などの出入口や軒先等に掲げられる暖簾に、その店や企業の情報を付して、広告表示機能を向上させた暖簾を提供する。【解決手段】暖簾を掲げる店または企業の情報を表す２次元コードシンボルをプリントされた暖簾。暖簾の２次元コードシンボルを携帯で読むことにより、その店または企業の創業年、創業者、歴史、社是、取扱商品またはサービス等に関する情報を知ることができる。この２次元コードシンボルは、赤色または朱色にプリントすることもでき、それにより落款を思わせ、暖簾の風格を落とさないようにできる。【選択図】図１
0003133913.tif 000002
【実用新案登録請求の範囲】
【請求項１】
店または企業で使用される暖簾において、２次元コードシンボルがプリントされていることを特徴とする暖簾。
【請求項２】
前記２次元コードシンボルが、前記店または企業の情報を表していることを特徴とする請求項１に記載された暖簾。
【請求項３】
前記２次元コードシンボルが、赤色または朱色でプリントされていることを特徴とする請求項１または請求項２に記載された暖簾。
【請求項４】
前記暖簾が、矩形の暖簾生地と前記暖簾生地の一端に位置する取付部とを有することを特徴とする請求項１から請求項３までのいずれか１項に記載された暖簾。
【考案の詳細な説明】
【技術分野】
【０００１】
本考案は、店舗や企業などの出入口や軒先等に掲げられる暖簾に関するものである。
【背景技術】
【０００２】
暖簾は、店舗等の軒先や出入口に掲げられるか、または室内の仕切りや装飾として使用される布である。店舗等の軒先や出入口に掛けられる暖簾には、暖簾生地に屋号、店名、家紋などを記し、看板として使用されるものが多い。このような暖簾が長年の営業により、信頼を集めると老舗の代名詞ともなる。他方、その店等で取り扱う商品名やサービス等を記載した暖簾もある（寿司、蕎麦など）。このように、暖簾は、装飾のほかに、宣伝広告機能を果たしている。
【０００３】
このような広告機能を強化するために、暖簾に表示された文字、図形、模様などの広告表示自体を反射表示させる暖簾が提案されている（特許文献１）。
【０００４】
しかし、暖簾の生地に記載できる文字、図形などは限られているため、多くの情報を提供できない。また、特許文献１の暖簾を老舗の暖簾に利用すると、暖簾の風格を落とす場合もある。
【０００５】
ところで、白と黒の格子状パターンで情報を表す２次元コードシンボル（ＱＲコード（登録商標））は、小さな領域に大量の情報を表すことのできるものとして知られている。例えば、数字のみであれば７０８９文字、漢字のみであれば１８１７文字の情報を表すことができる。特許文献２には、飲食店で使用されるテーブル常備品に２次元コードシンボルを付して、２次元コードシンボルを携帯電話で読み取ると情報センターへアクセスされ、店舗情報が得られるサービスが記載されている。しかし、特許文献２に記載されたサービスにより、店舗情報を得られるのは、既にその店舗に入場した客であり、店外の客に店舗情報を提供してその店舗へ勧誘する機能はない。
【特許文献１】特開２００２−２５１１５５号公報
【特許文献２】実用新案登録第３１１２２４２号公報
【考案の開示】
【考案が解決しようとする課題】
【０００６】
本考案は、店や企業などの出入口や軒先等に掲げられる暖簾に、その店や企業の情報を付し、広告機能を向上させる暖簾を提供することを目的とする。
【０００７】
本考案の更なる目的は、暖簾の風格を落とさずに、店や企業の情報を付することである。
【課題を解決するための手段】
【０００８】
本考案によれば、店または企業で使用される暖簾であって、２次元コードシンボルがプリントされていることを特徴とする暖簾が提供される。
一具体例として、暖簾は、矩形の布などの暖簾生地と、懸吊棒などに取り付けるための暖簾生地の一端（上端）に位置する取り付け部とを有する。暖簾生地には、１または２以上の切れ目が下端側から縦方向に所定長さだけ設けられることが好ましい。取付部は、例えば、暖簾記事の上端部を袋縫いしてもよく、また、細長い布を環状としたものでもよいが、その他のものでもよい。他の具体例によれば、暖簾は、暖簾生地のみからなり、取付部は設けられない。その場合は、壁等に両面に接着材の塗布されたテープなどにより壁等に直接貼り付けることができる。
暖簾に付される２次元コードシンボルは、その店または企業の情報を表すものである。前記「店または企業の情報」とは、例えば、その店または企業の創業年、創業者、歴史、社是、代表者、住所、電話番号、取扱商品またはサービス等に関する情報である。取扱商品またはサービスに関する情報は、例えば、商店であれば、取扱商品の種類等の情報等であり、飲食店であれば、その店のメニュー等の情報である。
この２次元コードシンボルを携帯電話等で読み取ると、その店または企業の情報を知ることができ、暖簾の広告機能を強化できる。
【０００９】
２次元コードシンボルは、暖簾内の好みの所に的確なサイズでプリントできる。２次元コードシンボルは、また、暖簾に印刷される文字、図形、模様などと調和した位置に配置できる。ただし、２次元コードシンボルの４辺の周囲には余白を設ける。２次元コードシンボルは、ＪＩＳ規格（ＪＩＳＸ０５１０）またはＩＳＯ規格（ＩＳＯ／ＩＥＣ１８００４）にしたがって作製され印刷される。
【００１０】
本考案に係る暖簾にプリントされる２次元コードシンボルは、黒色、赤色又は朱色を含むどのような色にしてもよい。携帯での読み取りの確実性を考慮すると黒色が望ましい。他方、２次元コードシンボルを赤色又は朱色にして、文字または図形とともに印刷すると、落款と思わせることができ、暖簾の風格を落とすことなく、２次元コードシンボルを暖簾に付することが可能になる。
【実施例】
【００１１】
図１に、本考案に係る暖簾２の一例を示す。暖簾生地８には、屋号「○△商店」が大きく印刷されている。暖簾２の左下に２次元コードシンボル４が印刷されている。この２次元コードシンボル４は、この商店の名称、住所、電話番号、創業年月日、取扱商品、代表者名を表わしている。暖簾生地８の上端部には、懸吊棒などに取り付けるための取付部６が設けられている。暖簾の２次元コードシンボルを携帯で読むと、これらの情報を知ることができ、当該店のあらましが分かるようになっている。２次元コードシンボル４は、朱色でプリントされている。そのため、落款のように見え、暖簾２の風格を落とさない。
【００１２】
以上述べたように、本考案による暖簾の構成を一例として説明したが、この構成に限定されるものではなく、請求の範囲から離脱することなく種々の変更が可能であることは言うまでもない。
【図面の簡単な説明】
【００１３】
【図１】本考案に係る暖簾の一例の正面図
【符号の説明】
【００１４】
２  暖簾
４  ２次元コードシンボル
６  取付部
８  暖簾生地
【図１】
0003133913.tif 000003
(57)【要約】      （修正有）【課題】子供から老人、男女問わずに安全に楽々と開栓後のペットボトルで残るリングを切除する事が出来るようにし、構造上も簡素にしたため容易に作製することが出来た上に、更に作製コストの軽減も可能に成り、使用済みペットボトルのキャップを外した状態で、誰でも簡単に安全に残るリングの切除が出来る筒型除去具を提供する。【解決手段】筒型除去具に付いている安全ゴムキャップを取り外すと筒の先端口の刃物が現れ、その反対側の筒口に安全ゴムキャップに付け替え被せたのち、片手で作業をする時に突起部６を見える位置に親指を合わせ掴み、開栓又は、使用済みペットボトルの飲口に覆い被せ、残っているリングに刃物５を押し当てて切除を可能にした形成品で、更に、ペットボトル本体に巻装されている各種類のラベル５をラベルに当てて、なぞることで切り除く事が出来る形成品である。【選択図】図３
0003133016.tif 000002
【実用新案登録請求の範囲】
【請求項１】
ペットボトルのキャップを外した時、飲み口部に残るリングの周上に、筒型形成した片方の先端上に一ヶ所刃物図３の５を取り付けた筒口先端図１の３をペットボトルの飲み口に覆い被せ、上から押し下げた時に残るリングの周上一ヶ所に刃物図１の５が当たり切り離せることで残るリングの除去が安全で簡単にできることを特徴とした筒型除去具。
【請求項２】
上記請求項１には、片方の筒口刃物が取り付けてある事と、もう一方の筒口の反対側には安全ゴムキャップ図３の４を取り付けた事により、使用時には手で押し与えられる感覚を和らげると共に滑り止めにも効果が得られる事で安全に使用が出来、使用しない時は安全ゴムキャップ図４の４Ｂを刃物側に付け替える事で手や他の品物に損傷が無く安全に整理整頓しておくことが出来る特徴を持ち合わせている筒型除去具。
【請求項３】
上記請求項１の刃物部図３の５では、多種類のペットボトルは各種メイカーのデザインされたラベルが本体の表面に巻装され取り付けてあり、巻装ラベルを取り除く時は本体のペットボトルを片手に持つか又は、固定するかして、もう一方の片手で筒型除去具の筒先に取り付けられている刃物図３の５を巻装ラベルの表面に当てながら、なぞるだけで巻装ラベルを切り裂き取り除くことが出来る特徴も持ち合わせている筒型除去具。
【請求項４】
上記請求項１〜３の何れにも、残るリングと巻装ラベルの切除に伴う刃物作業中、又は、整理整頓時に安全性の観点から、筒型の先端刃物位置を促すため、筒型外側面に一ヶ所目立つ位置に突起部図面１の６を設け、色を塗り常時目立つようにし、取り扱う上に安全性を重視した筒型除去具。
【考案の詳細な説明】
【技術分野】
【０００１】
合成樹脂製ペットボトルのキャップを開栓された時飲み口部に残るリング材を切除する時に使用され、加えてペットボトル本体に巻装されている各種のラベルをも取り除く事が出来る除去具に関するものである。  
【背景技術】
【０００２】
従来では、これらの種類の残るリング材切除具として、特許文献１に示すようなカッタ-ナイフと連携した構造で示すような危険で手腕に頼る製品が知られ、又は、特許文献２においても示すような技術と手腕に制約される製品も知られている。
【特許文献１】特開２００５−３４２４５４号公報
【特許文献２】特開２００５−０６６１２６号公報
【考案の開示】
【考案が解決しようとする課題】
【０００３】
上記の従来構造の場合は、前者には、構造上で一定の握力を必要となり子供や老人と主婦には使い難く技術力で危険も伴い、又は、後者には前者ほど力量は要らないと思われるが、形成上に成人で技術力と手腕が求められることで限定され危険性も伴う事を有する。
【課題を解決するための手段】
【０００４】
本考案はこれらの不都合を解決することを目的としており、本考案のうちで請求項１記載の考案は、筒型除去具の先端に切除用刃部を受け取り付け、開封後、又は、使用済みペットボトルの飲み口部から覆い被せて、残るリングに押し当てるだけで簡単に切除を可能にした構造であり、且つ、安全で誰でもが容易に使用を可能にした筒型除去具にある。
【考案の効果】
【０００５】
上記の考案に係る、使用済みペットボトルに残るリングを切除する事と共にもペットボトル本体に巻装されている多種類のラベルなどの処理作業が安全で簡易に効率よく出来る事も付け加えて効果を発揮する。
【考案を実施するための最良の形態】
【０００６】
考案に係る筒型除去具は、図１〜図３に示すように、従来に無い小型化であり計量化を実現し、子供の手中にも収まり、老人や主婦などにも少量の力で誰にでも切除作業をする事を可能にした、且つゴム製キャップの装着図２の４Ａと図４の４Ｂでの使用区分を設定した事で充分な安全性が配慮でき、幅広く多くの人に使用可能な筒型除去具である。
【実施例】
【０００７】
本考案の図１〜図４により説明する。本考案は、合成樹脂製ペットボトルの開栓後に残るリングの周上に筒型削除具図２の１０をゴム製キャップ図２の４Ａ部分を手中に納め、親指を図３の６の位置に向け刃物図３の５を確認し、図３の３をペットボトルの飲み口部より覆い被せ、上から押し下げた時に残るリングの周上に刃物一ヶ所が当たり、切り離せることで残るリング切除作業を安全で簡単に出来ることを特徴とした。又、ペットボトル本体に各種類の巻装ラベルに筒型除去具図３の１０を筒側面の突起個所図３の６に親指を添えながら掴んで、巻装ラベルに図３の５を当ててラベルに沿ってなぞる事で容易に誰もが安全に除去できる筒型除去具である。
【産業上の利用可能性】
【０００８】
本考案は、合成樹脂製品ペットボトルの再生処理において、現在の環境下では容器回収率は６３％も有るにもかかわらず、容器本体のペットボトルはポリエチレン製であり、キャップとリングはプラスチック製と異種類の性質が個々に使用されている事で、リサイクルの観点から分別作業工程を軽減するためには、一歩手前での家庭から分別作業を行う事で効率良くなり再生産や低コスト面でも無駄を省き、リサイクルの観点から考慮しても低コスト化にもなり、布いては今後の環境改善にも貢献できる。
【図面の簡単な説明】
【０００９】
本考案に係わる筒型除去具を、使用時と使用しない時の状態での側面と断面図平面図、立面図である。  
【図１】使用時の平面図
【図２】使用時の立面図と一部断面図
【図３】使用時の側面図
【図４】使用しない時の立面図と一部断面図
【符号の説明】
【００１０】
１０          筒型除去具本体        
３            筒口先端部
４            安全ゴムキャップ
４Ａ          作業時の安全ゴムキャップ位置
４Ｂ          作業しない時の安全ゴムキャップ位置
５            切開刃物
６            切開刃物の位置を知らせる突起物
【図１】
0003133016.tif 000003
【図２】
0003133016.tif 000004
【図３】
0003133016.tif 000005
【図４】
0003133016.tif 000006
(57)【要約】      （修正有）【課題】骨盤底骨筋が鍛えられ、頻尿、失禁が予防改善する。家の中でトレーニング出来るので、高齢者、足腰の弱い人にも出来る軽い運動で頻尿、失禁が予防改善する。【解決手段】幅１０cm〜２０cm長さ２０cm〜３０cmの球状又は角柱又は円柱又はすべての柱状のクッションを上向きに寝て、膝を立て、又は横向きに寝て、膝を曲げて、又は椅子に腰掛けて内腿の間にクッションを挟み、肛門とクッションをギュッとしめたり、ゆるめたりしてトレーニングする。【選択図】図２
0003133019.tif 000002
【実用新案登録請求の範囲】
【請求項１】
上向きに寝て、膝を立て、又は横向きに寝て膝を曲げ、又は椅子に腰掛けて内腿の間に挟んでトレーニングする時に使用する補助具であって、幅１０cm〜２０cm長さ２０cm〜３０cmの球状又は角柱又は円柱又はすべての柱状を特徴とするクッションであり、頻尿、失禁の予防改善のトレーニングに使用するクッション。
【考案の詳細な説明】
【技術分野】
【０００１】
本考案は、出産回数の多い女性、冷え・老化により膀胱を支え、尿道を締めている骨盤定筋群がゆるんで弱くなったために起こる頻尿、失禁の予防改善のトレーニングをする時に使用する補助クッションに関するものである。
【背景技術】
【０００２】
今まで頻尿、失禁の予防改善のトレーニングの補助具という物があまりなく、トレ−ニングより、薬、失禁パンツ、尿漏れパット等にたよっていたので、動きにくい、においがする等により、外出も少なくなり、ますます骨盤底筋も低下してしまうなどの問題があった。
【考案の開示】
【考案が解決しようとする課題】
【０００３】
骨盤底骨がゆるんで弱くなると、頻尿失禁になりやすく、不安で外出もしなくなり、体全体の機能低下にもつながり、精神的にもうつ的になり、認知症にも結びつく。薬、失禁パンツ、尿漏れパットの購入により年金生活者には、経済的負担も大きい。歩く事が少なくなれば、寝たきりの生活もまねきやすい。
【課題を解決するための手段】
【０００４】
本考案は、幅１０cm〜２０cm長さ２０cm〜３０cmの球状又は角柱又は円柱又はすべての柱状のクッションを上向きに寝て、膝を立て、内腿の間に挟む。少し腰を上げ、肛門とクッションをギュッとしめ、腰を上げ下げして、トレ−ニングをする。又は横向きに寝て、膝を曲げて、内腿の間にクッションを挟み、肛門とクッションをギュッとしめ、トレ−ニングをする。又は椅子に浅く腰掛けて内腿の間にクッションを挟み、踵を上げ下げしながらトレーニングする。いずれのトレ−ニングにおいても骨盤底骨筋がきたえられ、頻尿、失禁が予防改善される。自分が一番トレ-ニングしやすい方法で行う。
【０００５】
クッションの表皮としては、各種繊維布、不織布、天然皮革、合成皮革等がいずれも使用出来、片方にひもを付け、クッションを持ちやすくした。
【考案の効果】
【０００６】
本考案のクッションを使用し、トレ−ニングすると骨盤底筋がきたえられ、頻尿、失禁が予防改善され、夜もゆっくり休め、外出も不安なく出来、精神的にも安定し、経済的負担も軽くなる。トレ−ニングも家の中で寝たまま、又は横向き、又は椅子に腰掛けてと、１人１人の体に合わせたトレーニングが出来、高齢者、足腰の弱い人にも負担がかからない。このトレ−ニングにより、膝、足腰のきたえになり、寝たきり生活の予防につながる。
【実施例１】
【０００７】
図面に示す実施例に従って、本考案を説明する。
本考案では、図２の如く、布団２の上に上向きに寝て、膝を立て、内腿の間にクッション１を挟み、肛門とクッションをギュッとしめ、腰を上げ下げして、トレ−ニングをする事により骨盤底筋がきたえられ、頻尿、失禁の予防改善が出来る。
【０００８】
図３の如く、椅子に浅く腰掛けて内腿の間にクッション１を挟み、肛門とクッションをギュッとしめ、踵を上げ下げしてトレーニングをする事により、骨盤底筋がきたえられ、頻尿、失禁の予防改善が出来る。
【０００９】
図４の如く、布団２の上に横向きに寝て、膝を曲げて、内腿の間にクッション1を挟み、肛門とクッションをギュッとしめ、トレ−ニングをする事により、骨盤底筋がきたえられ、頻尿、失禁の予防改善が出来る。横向きは腰の弱い人に負担がなくてトレ−ニングしやすい。
【図面の簡単な説明】
【００１０】
【図１】本考案の立面図である。
【図２】本考案のクッションを上向きに寝た時の使用状態を示した図である。
【図３】本考案のクッションを椅子に腰掛けての使用状態を示した図である。
【図４】本考案のクッションを横向きに寝ての使用状態を示した図である。
【符号の説明】
【００１１】
１    本考案のクッション本体
２    布団
３    椅子
【図１】
0003133019.tif 000003
【図２】
0003133019.tif 000004
【図３】
0003133019.tif 000005
【図４】
0003133019.tif 000006